(57)【要約】【課題】鍵装置の消費電力を低減することができる電気錠制御システム、鍵装置、電気錠制御装置、及び電気錠システムを提供する。【解決手段】電気錠制御システム１は、鍵装置２０と、電気錠制御装置１０と、を備える。鍵装置２０は、無線通信を行う鍵側通信部２２を有する。電気錠制御装置１０は、鍵側通信部２２との間で無線通信を行う錠側通信部１２を有し、電気錠３を制御する。鍵側通信部２２は、第１鍵側通信モジュール２２１と、第２鍵側通信モジュール２２２と、を有する。第１鍵側通信モジュール２２１は、錠側通信部１２からのビーコン信号を連続的に待ち受ける連続受信動作を行う。第２鍵側通信モジュール２２２は、錠側通信部１２からの起動信号を間欠的に待ち受ける間欠受信動作を行う。第１鍵側通信モジュール２２１は、第２鍵側通信モジュール２２２が起動信号を受信すると、連続受信動作を開始する。【選択図】図１
2019039152.tif 000002
【特許請求の範囲】
【請求項１】
無線通信を行う鍵側通信部を有する鍵装置と、
前記鍵側通信部との間で無線通信を行う錠側通信部を有し、建物の開口部を開閉する開閉部材を施錠又は解錠する電気錠を制御する電気錠制御装置と、を備え、
前記鍵側通信部は、前記錠側通信部からの第１信号を連続的に待ち受ける連続受信動作を行う第１鍵側通信モジュールと、前記錠側通信部からの第２信号を間欠的に待ち受ける間欠受信動作を行う第２鍵側通信モジュールと、を有し、
前記第１鍵側通信モジュールは、前記第２鍵側通信モジュールが前記第２信号を受信すると、前記連続受信動作を開始する
ことを特徴とする電気錠制御システム。
【請求項２】
前記錠側通信部は、前記第１信号を送信する前に、前記第２信号を送信する
ことを特徴とする請求項１に記載の電気錠制御システム。
【請求項３】
前記錠側通信部は、前記第１信号を送信する第１錠側通信モジュールと、前記第２信号を送信する第２錠側通信モジュールと、を有する
ことを特徴とする請求項１又は２に記載の電気錠制御システム。
【請求項４】
前記第２信号の信号長は、前記第２鍵側通信モジュールの前記間欠受信動作における受信間隔よりも長い
ことを特徴とする請求項１〜３のいずれか１項に記載の電気錠制御システム。
【請求項５】
前記鍵装置は、時間を計測する鍵側タイマを更に有し、
前記電気錠制御装置は、時間を計測する錠側タイマを更に有し、
前記鍵側タイマと前記錠側タイマとは、前記鍵側通信部と前記錠側通信部とが無線通信を行うと同期し、
前記第２鍵側通信モジュールは、前記鍵側タイマの計測結果に基づいたタイミングで前記間欠受信動作を行い、
前記錠側通信部は、前記錠側タイマの計測結果に基づいたタイミングで前記第２信号を送信する
ことを特徴とする請求項１〜４のいずれか１項に記載の電気錠制御システム。
【請求項６】
前記錠側通信部は、前記鍵側タイマと前記錠側タイマとが同期をとってからの経過時間と、前記錠側タイマの計測精度と、に基づいた信号長の前記第２信号を送信する
ことを特徴とする請求項５に記載の電気錠制御システム。
【請求項７】
前記第２鍵側通信モジュールは、前記鍵側タイマと前記錠側タイマとが同期をとってからの経過時間と、前記鍵側タイマの計測精度と、に基づいた受信間隔で前記間欠受信動作を行う
ことを特徴する請求項５又は６に記載の電気錠制御システム。
【請求項８】
前記鍵装置は、所定状態を検知するセンサ部を備え、
前記第２鍵側通信モジュールは、前記センサ部が前記所定状態を検知すると前記間欠受信動作を開始する
ことを特徴する請求項１〜７のいずれか１項に記載の電気錠制御システム。
【請求項９】
前記鍵装置は、所定状態を検知するセンサ部を備え、
前記第２鍵側通信モジュールは、前記センサ部が前記所定状態を検知すると、前記センサ部が前記所定状態を検知する前よりも前記間欠受信動作における受信間隔を短くする
ことを特徴する請求項１〜７のいずれか１項に記載の電気錠制御システム。
【請求項１０】
前記第１鍵側通信モジュールは、前記第２鍵側通信モジュールが前記間欠受信動作において前記第２信号を複数回連続して受信すると、前記連続受信動作を開始する
ことを特徴とする請求項１〜９のいずれか１項に記載の電気錠制御システム。
【請求項１１】
前記第２鍵側通信モジュールは、前記間欠受信動作において前記第２信号を受信すると、受信間隔を短くする
ことを特徴とする請求項１０に記載の電気錠制御システム。
【請求項１２】
前記第１鍵側通信モジュールは、前記連続受信動作を開始してから、所定時間が経過する又は前記第１信号を受信するまで前記連続受信動作を行う
ことを特徴とする請求項１〜１１のいずれか１項に記載の電気錠制御システム。
【請求項１３】
請求項１〜１２のいずれか１項に記載の電気錠制御システムに用いられる
ことを特徴とする鍵装置。
【請求項１４】
請求項１〜１２のいずれか１項に記載の電気錠制御システムに用いられる
ことを特徴とする電気錠制御装置。
【請求項１５】
請求項１〜１２のいずれか１項に記載の電気錠制御システムと、
前記電気錠制御装置によって制御される電気錠と、を備える
ことを特徴とする電気錠システム。
【発明の詳細な説明】
【技術分野】
【０００１】
本開示は、一般に電気錠制御システム、鍵装置、電気錠制御装置、及び電気錠システムに関し、より詳細には建物に設けられた開閉部材を施錠又は解錠する電気錠を制御するための電気錠制御システム、鍵装置、電気錠制御装置、及び電気錠システムに関する。
【背景技術】
【０００２】
従来、マンションなどの集合住宅に用いられる電子施錠システム（電気錠システム）が開示されている（例えば、特許文献１参照）。
【０００３】
特許文献１の電子施錠システムは、扉装置と、管理サーバと、スマートフォン（鍵装置）を備えている。扉装置は、スマートフォンと近距離無線通信を行う受信装置を備えている。受信装置は、スマートフォンから、扉装置の施錠及び解錠を認証する認証情報を受信する。管理サーバは、受信装置が受信した認証情報を認証した場合に、扉装置を解錠する。
【０００４】
また、受信装置は、予め定められた間隔でラジオ信号を発信するビーコンを含む。ビーコンは、スマートフォンに認証情報を送信させる送信信号を予め定められた領域に発信する。スマートフォンは、送信信号を受信すると、認証情報を送信する。
【先行技術文献】
【特許文献】
【０００５】
【特許文献１】特開２０１７−２６３３号公報
【発明の概要】
【発明が解決しようとする課題】
【０００６】
スマートフォン（鍵装置）において、送信信号の受信待ちを連続的に行う場合、消費電力が大きくなるという問題がある。
【０００７】
本開示は、上記事由に鑑みてなされており、その目的は、鍵装置の消費電力を低減することができる電気錠制御システム、鍵装置、電気錠制御装置、及び電気錠システムを提供することにある。
【課題を解決するための手段】
【０００８】
本開示の一態様に係る電気錠制御システムは、鍵装置と、電気錠制御装置と、を備える。前記鍵装置は、無線通信を行う鍵側通信部を有する。前記電気錠制御装置は、前記鍵側通信部との間で無線通信を行う錠側通信部を有し、建物の開口部を開閉する開閉部材を施錠又は解錠する電気錠を制御する。前記鍵側通信部は、第１鍵側通信モジュールと、第２鍵側通信モジュールと、を有する。前記第１鍵側通信モジュールは、前記錠側通信部からの第１信号を連続的に待ち受ける連続受信動作を行う。前記第２鍵側通信モジュールは、前記錠側通信部からの第２信号を間欠的に待ち受ける間欠受信動作を行う。前記第１鍵側通信モジュールは、前記第２鍵側通信モジュールが前記第２信号を受信すると、前記連続受信動作を開始する。
【０００９】
本開示の一態様に係る鍵装置は、前記電気錠制御システムに用いられる。
【００１０】
本開示の一態様に係る電気錠制御装置は、前記電気錠制御システムに用いられる。
【００１１】
本開示の一態様に係る電気錠システムは、前記電気錠制御システムと、前記電気錠制御装置によって制御される電気錠と、を備える。
【発明の効果】
【００１２】
本開示の電気錠制御システム、鍵装置、電気錠制御装置、及び電気錠システムでは、鍵装置の消費電力を低減することができるという効果がある。
【図面の簡単な説明】
【００１３】
【図１】図１は、本開示の一実施形態に係る電気錠制御システム、及び電気錠システムのブロック図である。
【図２】図２は、同上の電気錠制御システムの使用例の説明図である。
【図３】図３は、同上の電気錠制御システムにおける一動作例の信号シーケンス図である。
【図４】図４は、本開示の一実施形態の第１変形例に係る電気錠制御システムの説明図である。
【発明を実施するための形態】
【００１４】
（１）概要
本実施形態に係る電気錠制御システム１の概要について、図１、図２を参照して説明する。
【００１５】
本実施形態に係る電気錠制御システム１は、電気錠３を制御するためのシステムである。電気錠３は、開閉部材５（図２参照）を施錠又は解錠する。開閉部材５は、建物４の開口部４０を開閉する。開閉部材５は、建物４の内側（宅内４１）と外側（宅外４２）とを隔てる扉又は窓であって、例えば、玄関、勝手口等の扉（開き戸又は引き戸）、又は掃き出し窓等である。本実施形態では、建物４が戸建て住宅であり、開閉部材５が玄関扉である。電気錠制御システム１は、電気錠制御装置１０と、鍵装置２０とを備えている。電気錠制御装置１０及び電気錠３は、開閉部材５に設置されている。鍵装置２０は、ユーザ６である住人が携帯可能な携帯端末装置である。本実施形態では、鍵装置２０は、ユーザ６が所持する鞄などに取付可能なタグ状に構成されている。また、本実施形態の電気錠システム１００は、電気錠制御システム１と電気錠３とを備えている。
【００１６】
電気錠制御装置１０は、鍵装置２０と通信可能に構成されている。電気錠制御装置１０は、鍵装置２０との通信によって、電気錠３の状態を、開閉部材５を施錠する施錠状態と、開閉部材５を解錠する解錠状態とに電気的に切り替えるように構成されている。
【００１７】
鍵装置２０は、電気錠制御装置１０との通信機能を有している。本実施形態では、電気錠制御装置１０と鍵装置２０との間の通信方式は、電波を媒体とする無線通信である。
【００１８】
電気錠制御システム１の基本的な機能としては、鍵装置２０に予め記憶されている鍵ＩＤ（Identification）である鍵情報を、鍵装置２０が電気錠制御装置１０に送信することによって、電気錠制御装置１０が電気錠３を解錠状態に制御する。すなわち、電気錠制御装置１０と鍵装置２０とが通信し、鍵装置２０から受信した鍵情報の認証が成功した場合に、電気錠３が解錠状態となる。
【００１９】
上述したような電気錠制御装置１０による解錠動作は、鍵装置２０を所持するユーザ６（住人）が宅外４２に居るとき、つまりユーザ６の帰宅時と、ユーザ６が宅内４１に居るとき、つまりユーザ６の外出時との少なくとも一方において行われる。本実施形態では、ユーザ６の帰宅時と外出時との両方において、電気錠制御装置１０による解錠動作が行われる。すなわち、ユーザ６の帰宅時には、宅外４２に居るユーザ６が開閉部材５に近付いた状態で、ユーザ６の所持する鍵装置２０が電気錠制御装置１０と通信することで、開閉部材５が解錠可能となる。同様に、ユーザ６の外出時には、宅内４１に居るユーザ６が開閉部材５に近付いた状態で、ユーザ６の所持する鍵装置２０が電気錠制御装置１０と通信することで、開閉部材５が解錠可能となる。また、本実施形態では詳しい説明は省略するが、電気錠制御装置１０は、開閉部材５が解錠されている状態において、鍵装置２０との通信によって鍵情報の認証が成功すると、開閉部材５の施錠を行う。つまり、電気錠制御装置１０は、解錠動作だけでなく、鍵装置２０との通信によって、解錠状態から施錠状態へ切り替える施錠動作も行うことができる。
【００２０】
（２）詳細
次に、本実施形態に係る電気錠制御システム１、電気錠システム１００の詳細について説明する。
【００２１】
（２．１）電気錠制御装置の構成
電気錠制御装置１０は、錠側制御部１１と、錠側通信部１２と、錠側記憶部１３と、錠側操作部１４と、を備えている。錠側制御部１１は、認証部１１１と、錠制御部１１２と、を有している。
【００２２】
電気錠制御装置１０は、建物４の開閉部材５に設けられている。電気錠制御装置１０は、系統電源（商用電源）等の外部電源から電力供給を受けて動作してもよいし、電池駆動式であってもよい。
【００２３】
錠側制御部１１は、例えば、プロセッサ及びメモリを有するマイクロコンピュータで構成されている。つまり、錠側制御部１１は、プロセッサ及びメモリを有するコンピュータシステムで実現されている。そして、プロセッサが適宜のプログラムを実行することにより、コンピュータシステムが錠側制御部１１として機能する。プログラムは、メモリに予め記録されていてもよいし、インターネット等の電気通信回線を通じて、又はメモリカード等の非一時的な記録媒体に記録されて提供されてもよい。錠側制御部１１は、錠側通信部１２、及び電気錠３を制御する。
【００２４】
錠側通信部１２は、鍵装置２０の鍵側通信部２２（後述する）との間で無線通信が可能に構成されている。錠側通信部１２は、互いに異なる通信方式に対応した第１錠側通信モジュール１２１と、第２錠側通信モジュール１２２と、を有している。
【００２５】
第１錠側通信モジュール１２１は、例えばＢＬＥ（Bluetooth Low Energy）に対応した無線通信が可能に構成されている。ＢＬＥとは、無線ＰＡＮ（Personal Area Network）技術であるＢｌｕｅｔｏｏｔｈ（登録商標）の仕様における、低消費電力仕様の呼称である。ＢＬＥの周波数帯は、２．４〔ＧＨｚ〕である。第１錠側通信モジュール１２１は、ＢＬＥの通信規格に則って、鍵装置２０が備える第１鍵側通信モジュール２２１（後述する）との間で無線通信を行う。第１錠側通信モジュール１２１は、鍵装置２０にビーコン信号（第１信号）を送信する。また、第１錠側通信モジュール１２１は、ビーコン信号に対する応答信号を鍵装置２０から受信する。そして、第１錠側通信モジュール１２１は、応答信号を受信すると、第１鍵側通信モジュール２２１との間で認証通信を行う。この認証通信において、第１鍵側通信モジュール２２１から第１錠側通信モジュール１２１へ鍵情報が送信される。
【００２６】
第２錠側通信モジュール１２２は、第１錠側通信モジュール１２１とは異なる通信方式に対応しており、鍵装置２０が備える第２鍵側通信モジュール２２２との間で無線通信を行う。つまり、第２錠側通信モジュール１２２は、ＢＬＥとは異なる通信方式を用いて、第２鍵側通信モジュール２２２との間で無線通信を行う。本実施形態では、第２錠側通信モジュール１２２が第２鍵側通信モジュール２２２との間の無線通信で用いる信号の周波数帯は、２．４〔ＧＨｚ〕である。なお、第２錠側通信モジュール１２２が無線通信で用いる信号の周波数帯は、２．４〔ＧＨｚ〕に限らず、他の周波数帯であってもよい。第２錠側通信モジュール１２２は、鍵装置２０に起動信号（第２信号）を送信する。この起動信号には、例えばＰＮ９パターン（ＰＮ：Pseud Random Noise）等のランダムデータが含まれている。ＰＮ９パターンとは、９段のビットシフト回路を用いて生成されたビット列である。なお、起動信号に含まれるデータは、ランダムデータに限らず、所定のデータが含まれていてもよいし、データ自体が含まれていなくてもよい。第２錠側通信モジュール１２２は、少なくとも送信機能を有していればよいが、受信機能を有していてもよい。つまり、第２錠側通信モジュール１２２は、双方向の通信に対応していてもよい。
【００２７】
なお、第１錠側通信モジュール１２１と第２錠側通信モジュール１２２とは、無線信号を送信及び受信するためのアンテナが兼用されていてもよいし、別々のアンテナを用いてもよい。
【００２８】
錠側制御部１１は、錠側通信部１２（第１錠側通信モジュール１２１、第２錠側通信モジュール１２２）を制御する。錠側制御部１１は、第２錠側通信モジュール１２２から起動信号を送信させた後に、第１錠側通信モジュール１２１からビーコン信号を送信させる。詳細な動作については、後述の「（３）動作例」の欄で説明する。
【００２９】
錠側記憶部１３は、例えば、ＥＥＰＲＯＭ（Electrically Erasable Programmable Read-Only Memory）、フラッシュメモリなどの不揮発性メモリにて構成されている。錠側記憶部１３には、鍵装置２０の登録ＩＤである登録情報を記憶可能である。登録情報は、鍵装置２０から送信される鍵情報と一対一に対応している。なお、錠側記憶部１３は、錠側制御部１１が有するメモリであってもよい。
【００３０】
錠側操作部１４は、ユーザ６による操作を受け付ける機能を有する。錠側操作部１４は、例えば押ボタンスイッチを有している。押ボタンスイッチは、開閉部材５の宅内４１側及び宅外４２側のそれぞれに設けられている。錠側操作部１４は、ユーザ６による操作を受け付けると、操作内容に応じた操作信号を錠側制御部１１に出力する。
【００３１】
認証部１１１は、錠側通信部１２（第１錠側通信モジュール１２１）が鍵装置２０から鍵情報を含む無線信号を受信すると、この鍵情報と、錠側記憶部１３に記憶されている登録情報との照合を行うことで、鍵装置２０の認証処理を実行する。具体的には、鍵情報に対応する登録情報が錠側記憶部１３に記憶されている場合、認証部１１１による鍵情報の認証が成功となる。一方、鍵情報に対応する登録情報が錠側記憶部１３に記憶されていない場合、認証部１１１による鍵情報の認証が失敗となる。
【００３２】
錠制御部１１２は、認証部１１１が鍵情報の認証に成功すると、電気錠３を制御して開閉部材５の施錠又は解錠を行う。具体的には、認証部１１１が鍵情報の認証に成功し、錠側通信部１２が鍵装置２０からの施解錠要求信号を受信すると、電気錠３の施錠状態と解錠状態とが切り替わるように電気錠３を制御する。
【００３３】
（２．２）鍵装置の構成
次に、鍵装置２０の構成について説明する。
【００３４】
鍵装置２０は、鍵側制御部２１と、鍵側通信部２２と、センサ部２３と、電池２４と、を備えている。鍵装置２０は、ユーザ６が携帯可能なタグ状の装置である。
【００３５】
電池２４は、一次電池又は二次電池であり、鍵装置２０の動作用電源として機能する。電池２４は、鍵装置２０の構成要素に含まれていてもよいし、鍵装置２０の構成要素に含まれていなくてもよい。
【００３６】
鍵側制御部２１は、例えば、プロセッサ及びメモリを有するマイクロコンピュータで構成されている。つまり、鍵側制御部２１は、プロセッサ及びメモリを有するコンピュータシステムで実現されている。そして、プロセッサが適宜のプログラムを実行することにより、コンピュータシステムが鍵側制御部２１として機能する。プログラムは、メモリに予め記録されていてもよいし、インターネット等の電気通信回線を通じて、又はメモリカード等の非一時的な記録媒体に記録されて提供されてもよい。鍵側制御部２１は、鍵側通信部２２を制御する。
【００３７】
鍵側通信部２２は、電気錠制御装置１０の錠側通信部１２との間で無線通信が可能に構成されている。鍵側通信部２２は、互いに異なる通信方式に対応した第１鍵側通信モジュール２２１と、第２鍵側通信モジュール２２２と、を有している。
【００３８】
第１鍵側通信モジュール２２１は、ＢＬＥに対応した無線通信が可能に構成されている。つまり、第１鍵側通信モジュール２２１は、電気錠制御装置１０の第１錠側通信モジュール１２１と共通の通信方式に対応している。第１鍵側通信モジュール２２１は、第１錠側通信モジュール１２１から送信されるビーコン信号を受信する。また、第１鍵側通信モジュール２２１は、ビーコン信号を受信すると応答信号を送信する。つまり、第１鍵側通信モジュール２２１は、電気錠制御装置１０の第１錠側通信モジュール１２１との間で、双方向の通信を行う。
【００３９】
第２鍵側通信モジュール２２２は、第１鍵側通信モジュール２２１とは異なる通信方式に対応しており、電気錠制御装置１０が備える第２錠側通信モジュール１２２との間で無線通信を行う。つまり、第２鍵側通信モジュール２２２は、ＢＬＥとは異なる通信方式を用いて、第２錠側通信モジュール１２２との間で無線通信を行う。第２鍵側通信モジュール２２２は、第２錠側通信モジュール１２２から送信される起動信号を受信する。第２鍵側通信モジュール２２２は、少なくも受信機能を有していればよいが、送信機能を有していてもよい。つまり、第２鍵側通信モジュール２２２は、双方向の通信に対応していてもよい。
【００４０】
なお、第１鍵側通信モジュール２２１と第２鍵側通信モジュール２２２とは、無線信号を送信及び受信するためのアンテナが兼用されていてもよいし、別々のアンテナを用いてもよい。
【００４１】
ここで、上述したように、電気錠制御装置１０の第１錠側通信モジュール１２１、及び鍵装置２０の第１鍵側通信モジュール２２１が行う無線通信の通信方式は、ＢＬＥである。ＢＬＥは、様々な装置間での無線通信を実現するために予め通信仕様が決められている。ＢＬＥを用いた無線通信を行うためには、ＢＬＥの通信仕様に則る必要がある。ＢＬＥの通信仕様には、信号の受信待ち動作を所定時間以上、連続的に行う、という仕様が含まれている。したがって、第１鍵側通信モジュール２２１は、連続受信動作を行うように構成されている。連続受信動作とは、通信相手からの無線信号を所定時間以上、連続して待ち受ける動作である。言い換えれば、連続受信動作とは、第１錠側通信モジュール１２１からのビーコン信号をスキャンする動作である。第１鍵側通信モジュール２２１は、連続受信動作中にのみ、ビーコン信号を受信することができる。また、第１鍵側通信モジュール２２１の動作状態としてスリープ状態がある。第１鍵側通信モジュール２２１は、スリープ状態では連続受信動作を行わない。
【００４２】
電気錠制御装置１０の第２錠側通信モジュール１２２、及び鍵装置２０の第２鍵側通信モジュール２２２が行う無線通信の通信方式は、ＢＬＥとは異なっており、ＢＬＥの通信仕様は適用されない。本実施形態では、第２鍵側通信モジュール２２２は、間欠受信動作を行うように構成されている。間欠受信動作とは、通信相手からの無線信号を間欠的に待ち受ける動作である。つまり、第２鍵側通信モジュール２２２は、間欠受信動作における受信待ち中にのみ、無線信号（起動信号）を受信することができる。
【００４３】
鍵側制御部２１は、鍵側通信部２２を制御しており、電気錠制御装置１０（錠側通信部１２）との間で鍵側通信部２２に通信を行わせることによって、電気錠制御装置１０での開閉部材５の解錠を可能にする。具体的には、鍵側制御部２１は、第１鍵側通信モジュール２２１が第１錠側通信モジュール１２１からのビーコン信号を受信すると、第１鍵側通信モジュール２２１から第１錠側通信モジュール１２１に対して応答信号を送信させる。そして、鍵側制御部２１は、第１鍵側通信モジュール２２１と第１錠側通信モジュール１２１との間の無線通信が確立すると、第１鍵側通信モジュール２２１と第１錠側通信モジュール１２１との間で認証通信を行わせる。電気錠制御装置１０において、第１錠側通信モジュール１２１が受信した無線信号に含まれる鍵情報の認証に成功すると、施解錠要求に応じて電気錠３を制御して開閉部材５の施錠又は解錠を行う。
【００４４】
また、鍵側制御部２１は、第２鍵側通信モジュール２２２が第２錠側通信モジュール１２２からの起動信号を受信したと判断すると、第１鍵側通信モジュール２２１の連続受信動作を開始させる。詳細な動作については、後述の「（３）動作例」の欄で説明する。
【００４５】
センサ部２３は、所定状態を検知するように構成されている。本実施形態のセンサ部２３は、加速度センサであり、所定状態として鍵装置２０が移動中である状態を検知するように構成されている。センサ部２３は、鍵装置２０の加速度を計測するように構成されており、計測した加速度が閾値を上回ると、鍵装置２０が移動中であると判断する。センサ部２３の検知結果は、鍵側制御部２１に出力される。鍵側制御部２１は、センサ部２３の検知結果に基づいて、鍵側通信部２２を制御する。具体的には、鍵側制御部２１は、センサ部２３が所定状態（鍵装置２０が移動中である状態）を検知すると、第２鍵側通信モジュール２２２に間欠受信動作を一定期間行わせる。言い換えれば、鍵側制御部２１は、センサ部２３が所定状態を検知していない場合、つまり鍵装置２０が放置されているあるいは鍵装置２０を所持するユーザ６が停止している場合、第２鍵側通信モジュール２２２の間欠受信動作を停止させる。
【００４６】
（２．３）電気錠の構成
次に、電気錠３の構成について説明する。
【００４７】
電気錠３は、開閉部材５（ここでは、玄関扉）を解錠又は施錠する。電気錠３は、デッドボルトと、駆動部と、駆動回路と、を有している。駆動回路は、錠制御部１１２から出力される制御信号（解錠信号又は施錠信号）に応じて駆動信号を作成し、この駆動信号を駆動部に出力する。駆動部は、電動モータと、電動モータの駆動力をデッドボルトに伝達する伝達機構と、を備えている。駆動部は、駆動回路から入力される駆動信号に従って駆動モータを駆動する。駆動モータの駆動力が伝達機構を介してデッドボルトに伝達されることによって、デッドボルトが施錠位置又は解錠位置に移動する。ここで、デッドボルトが施錠位置に移動した状態では、デッドボルトの少なくとも一部が、開閉部材５を支持する扉枠に設けられたボルト穴に挿入されており、この状態では開閉部材５が閉じた状態で保持される。つまり、開閉部材５が施錠された状態となる。デッドボルトが解錠位置に移動した状態では、デッドボルトの全体がボルト穴の外に出ており、この状態では開閉部材５の開閉が可能になる。つまり、開閉部材５が解錠された状態となる。
【００４８】
（３）動作例
次に、電気錠制御システム１の動作例について図３を参照して説明する。ここでは、鍵装置２０を所持するユーザ６の帰宅時における電気錠制御システム１の動作の一例を説明する。また、図３では、第１錠側通信モジュール１２１が送信するビーコン信号をＳ１、第２錠側通信モジュール１２２が送信する起動信号をＳ２、第１鍵側通信モジュール２２１が送信する応答信号をＳ３で表記している。
【００４９】
宅外４２に居るユーザ６が歩いて開閉部材５に近付くことによって、センサ部２３（加速度センサ）の計測結果（加速度）が閾値を上回る。これにより、鍵側制御部２１は、第２鍵側通信モジュール２２２に間欠受信動作を行わせ、第２錠側通信モジュール１２２から送信される起動信号Ｓ２の受信待ち状態とする。鍵側制御部２１は、第２鍵側通信モジュール２２２が起動信号Ｓ２を受信していない場合、間欠受信動作における受信間隔をＴ２１とする。受信間隔Ｔ２１は、例えば２５０〔ｍｓ〕である。受信間隔Ｔ２１は、２５０〔ｍｓ〕に限らず、他の値であってもよい。
【００５０】
ユーザ６によって、錠側操作部１４の押ボタンスイッチが押されると、錠側制御部１１は、第２錠側通信モジュール１２２から起動信号Ｓ２を送信させる。起動信号Ｓ２は、連続信号であり一定期間、連続して送信される。起動信号Ｓ２の信号長Ｔ１１は、第２鍵側通信モジュール２２２の間欠受信動作における受信間隔Ｔ２１よりも長い。起動信号Ｓ２の信号長とは、起動信号Ｓ２が連続的に送信される送信期間である。したがって、第２鍵側通信モジュール２２２の間欠受信動作中に、第２錠側通信モジュール１２２が起動信号Ｓ２を送信すると、第２鍵側通信モジュール２２２は、起動信号Ｓ２を少なくとも１回受信することができる。
【００５１】
鍵側制御部２１は、第２鍵側通信モジュール２２２の受信信号強度（ＲＳＳＩ：Received Signal Strength Indication）を監視しており、受信信号強度が閾値を上回ると、第２鍵側通信モジュール２２２が起動信号Ｓ２を受信したと判断する。この受信信号強度との比較に用いる閾値は、例えば電気錠制御装置１０と鍵装置２０との間の距離が所定距離（例えば３〔ｍ〕）である場合における起動信号Ｓ２の受信信号強度に設定されている。なお、受信信号強度は、無線信号の反射、干渉等によって変化しやすく、受信信号強度が閾値以上であっても、電気錠制御装置１０と鍵装置２０との間の距離が所定距離以内とは限らない。
【００５２】
本実施形態では、鍵側制御部２１は、第２鍵側通信モジュール２２２が第２錠側通信モジュール１２２からの起動信号Ｓ２を複数回（例えば６回）連続して受信したと判断した場合、第１鍵側通信モジュール２２１に連続受信動作を開始させる。つまり、第１鍵側通信モジュール２２１は、第２鍵側通信モジュール２２２が起動信号Ｓ２を複数回連続して受信するまでは、連続受信動作を行わないスリープ状態となる。なお、起動信号Ｓ２の受信回数は、６回に限らず、他の複数回であってもよい。
【００５３】
また、鍵側制御部２１は、第２鍵側通信モジュール２２２が起動信号Ｓ２を受信したと判断すると、間欠受信動作における受信間隔を短くする。具体的には、鍵側制御部２１は、第２鍵側通信モジュール２２２が起動信号Ｓ２を受信したと判断すると、間欠受信動作の受信間隔をＴ２１からＴ２２（＜Ｔ２１）に変更する。受信間隔Ｔ２２は、例えば１〔ｍｓ〕である。受信間隔Ｔ２２は、受信間隔Ｔ２１（２５０〔ｍｓ〕）よりも短い時間であればよく、他の値であってもよい。
【００５４】
つまり、第２鍵側通信モジュール２２２は、起動信号Ｓ２を受信する前であれば、受信間隔Ｔ２１で間欠受信動作を行い、起動信号Ｓ２を一旦受信すると、受信間隔Ｔ２１よりも短い受信間隔Ｔ２２で間欠受信動作を行う。鍵側制御部２１は、第２鍵側通信モジュール２２２が受信間隔Ｔ２１での間欠受信動作で起動信号Ｓ２を１回受信した後、受信間隔Ｔ２２での間欠受信動作で５回受信したと判断した場合、第１鍵側通信モジュール２２１に連続受信動作を開始させる。本実施形態では、起動信号Ｓ２の信号長Ｔ１１は、第２鍵側通信モジュール２２２が起動信号Ｓ２を受信間隔Ｔ２１（２５０〔ｍｓ〕）で１回、受信間隔Ｔ２２〔１〔ｍｓ〕）で５回受信できるよう、２５５〔ｍｓ〕以上に設定されている。
【００５５】
また、電気錠制御装置１０の錠側制御部１１は、第２錠側通信モジュール１２２から起動信号Ｓ２を送信させた後に、第１錠側通信モジュール１２１からビーコン信号Ｓ１を所定周期（例えば３０〔ｍｓ〕周期）で送信させる。本実施形態では、錠側制御部１１は、第２錠側通信モジュール１２２が起動信号Ｓ２の送信を完了してから所定時間後に、第１錠側通信モジュール１２１からビーコン信号Ｓ１の送信を開始させる。なお、錠側制御部１１は、第２錠側通信モジュール１２２が送信する起動信号Ｓ２にビーコン信号Ｓ１が連続するように、第１錠側通信モジュール１２１からビーコン信号Ｓ１を送信させてもよい。
【００５６】
鍵側制御部２１は、第１鍵側通信モジュール２２１が連続受信動作でビーコン信号Ｓ１を受信すると、連続受信動作を停止させ、第１鍵側通信モジュール２２１から応答信号Ｓ３を送信させる。第１鍵側通信モジュール２２１がビーコン信号Ｓ１を受信しなかった場合、鍵側制御部２１は、第１鍵側通信モジュール２２１が連続受信動作を開始してから所定時間（例えば１００〔ｍｓ〕）経過後に、連続受信動作を停止させる。つまり、第１鍵側通信モジュール２２１は、連続受信動作を開始してから、所定時間が経過する又はビーコン信号Ｓ１を受信するまで連続受信動作を行う。
【００５７】
第１錠側通信モジュール１２１が第１鍵側通信モジュール２２１からの応答信号Ｓ３を受信すると、第１錠側通信モジュール１２１と第１鍵側通信モジュール２２１との間で認証通信が行われる。認証通信では、第１鍵側通信モジュール２２１から第１錠側通信モジュール１２１に対して鍵情報が送信される。ここでは、認証通信の詳細な説明を省略する。
【００５８】
（４）利点
次に、本実施形態に係る電気錠制御システム１の利点について説明する。
【００５９】
本実施形態の電気錠制御システム１では、鍵装置２０は、連続受信動作を行う第１鍵側通信モジュール２２１と、間欠受信動作を行う第２鍵側通信モジュール２２２と、を有している。第１鍵側通信モジュール２２１は、第２鍵側通信モジュール２２２が間欠受信動作において電気錠制御装置１０からの起動信号を受信すると、ビーコン信号を連続的に待ち受ける連続受信動作を開始するように構成されている。したがって、第２鍵側通信モジュール２２２が起動信号を受信するまでは、第１鍵側通信モジュール２２１を、連続受信動作を停止したスリープ状態とすることができる。間欠受信動作は、連続受信動作に比べて消費電力が小さいので、鍵装置２０の消費電力を低減することができる。
【００６０】
また、電気錠制御システム１では、電気錠制御装置１０は、ビーコン信号を送信する前に、起動信号を送信するように構成されている。言い換えれば、電気錠制御装置１０は、起動信号を送信した後にビーコン信号を送信するように構成されている。したがって、鍵装置２０において、第２鍵側通信モジュール２２２が起動信号を受信し、第１鍵側通信モジュール２２１が連続受信動作を開始した後に、電気錠制御装置１０からビーコン信号が送信される。これにより、第１鍵側通信モジュール２２１がビーコン信号を受信しやすくなる。
【００６１】
また、電気錠制御装置１０において、錠側通信部１２は、ビーコン信号を送信する第１錠側通信モジュール１２１と、起動信号を送信する第２錠側通信モジュール１２２と、の２つの通信モジュールを備えている。これにより、第１錠側通信モジュール１２１が送信するビーコン信号と、第２錠側通信モジュール１２２が送信する起動信号と、の通信規格を互いに異ならせることができる。例えば、起動信号の通信規格に、ビーコン信号よりも消費電力が小さい通信規格を採用することで、電気錠制御装置１０の消費電力の低減を図ることができる。なお、電気錠制御装置１０は、１つの通信モジュールを用いて起動信号とビーコン信号とを送信可能に構成されていてもよい。
【００６２】
また、電気錠制御装置１０において、第２錠側通信モジュール１２２は、起動信号の信号長が、第２鍵側通信モジュール２２２の間欠受信動作における受信間隔よりも長くなるように、起動信号を送信している。したがって、第２鍵側通信モジュール２２２は、間欠受信動作において起動信号を受信しやすくなる。
【００６３】
また、鍵装置２０において、第１鍵側通信モジュール２２１は、連続受信動作を開始してから、所定時間が経過する又はビーコン信号を受信するまで連続受信動作を行うように構成されている。これにより、第１鍵側通信モジュール２２１が連続受信動作を行う時間を短くすることができ、鍵装置２０の消費電力を低減することができる。
【００６４】
また、鍵装置２０は、加速度センサで構成されたセンサ部２３を備えている。センサ部２３は、鍵装置２０の移動中である状態を検知するように構成されている。そして、第２鍵側通信モジュール２２２は、センサ部２３が、鍵装置２０の移動中である状態を検知すると、間欠受信動作を開始するように構成されている。したがって、鍵装置２０の第２鍵側通信モジュール２２２は、例えばユーザ６が鍵装置２０を携帯していない場合等の間欠受信動作が不要である場合、間欠受信動作を行わない。これにより、鍵装置２０の消費電力をより低減することができる。
【００６５】
また、鍵装置２０において、第２鍵側通信モジュール２２２が起動信号を複数回連続して受信すると、第１鍵側通信モジュール２２１が連続受信動作を開始するように構成されている。したがって、鍵装置２０と電気錠制御装置１０との間の無線通信が安定している場合にのみ、第１鍵側通信モジュール２２１が連続受信動作を開始する。これにより、第１鍵側通信モジュール２２１がビーコン信号を受信しやすくなる。また、起動信号とは異なる無線信号を第２鍵側通信モジュール２２２が誤受信した場合であっても、第１鍵側通信モジュール２２１が連続受信動作を開始することが抑制され、鍵装置２０の消費電力を低減することができる。
【００６６】
さらに、第２鍵側通信モジュール２２２は、間欠受信動作において起動信号を受信すると、受信間隔を短くするように構成されている。したがって、鍵装置２０と電気錠制御装置１０との間の無線通信が安定している場合、第１鍵側通信モジュール２２１が連続受信動作を早く開始することができる。これにより、電気錠制御装置１０と鍵装置２０とが通信を開始してから、電気錠３が施錠又は解錠されるまでの時間を短縮することができる。
【００６７】
（５）変形例
上述の実施形態は、本開示の様々な実施形態の一つに過ぎない。上述の実施形態は、本開示の目的を達成できれば、設計等に応じて種々の変更が可能である。以下に、本実施形態に係る電気錠制御システム１の変形例について列挙する。以下に説明する変形例は、適宜組み合わせて適用可能である。
【００６８】
（５．１）第１変形例
本実施形態の電気錠制御システム１の第１変形例について図４を参照して説明する。第１変形例の電気錠制御システム１において、上述した構成と同様の構成については、共通の符号を付して説明を省略する。
【００６９】
本変形例の電気錠制御システム１では、電気錠制御装置１０は、錠側タイマ１５を更に備え、鍵装置２０は、鍵側タイマ２５を更に備えている。
【００７０】
錠側タイマ１５及び鍵側タイマ２５は、それぞれ、時間を計測するように構成されており、時刻情報を保持している。錠側タイマ１５及び鍵側タイマ２５は、錠側通信部１２と鍵側通信部２２とが無線通信を行った際に、保持している時刻情報（時間情報）を同期するように構成されている。具体的には、第１錠側通信モジュール１２１は、錠側タイマ１５が保持している時刻情報を第１鍵側通信モジュール２２１に送信する。鍵側タイマ２５は、保持している時刻情報を、第１鍵側通信モジュール２２１が受信した時刻情報に一致させる。これにより、錠側タイマ１５と鍵側タイマ２５とのそれぞれが保持している時刻情報が同期する。また、鍵装置２０が複数台ある場合でも、各鍵装置２０の鍵側タイマ２５が保持している時刻情報は、錠側タイマ１５が保持している時刻情報に同期される。
【００７１】
本変形例では、錠側制御部１１は、錠側操作部１４の押ボタンスイッチが押されると、錠側タイマ１５の計測結果（時刻情報）に基づいたタイミングで第２錠側通信モジュール１２２から起動信号を送信させる。例えば、錠側制御部１１は、錠側操作部１４の押ボタンスイッチが押されると、錠側タイマ１５の時刻情報における小数点以下の秒数が“０”ちょうどのタイミングを起点として、第２錠側通信モジュール１２２から起動信号を送信させる。
【００７２】
また、鍵側制御部２１は、鍵側タイマ２５の計測結果（時刻情報）に基づいたタイミングで、第２鍵側通信モジュール２２２に間欠受信動作を行わせる。例えば、鍵側制御部２１は、鍵側タイマ２５の時刻情報における小数点以下の秒数が“０”ちょうどのタイミングに第２鍵側通信モジュール２２２が信号待ちを行うように、第２鍵側通信モジュール２２２に間欠受信動作を行わせる。
【００７３】
つまり、本変形例の電気錠制御システム１では、錠側タイマ１５及び鍵側タイマ２５がそれぞれの時刻情報を同期させる。そして、第２錠側通信モジュール１２２が起動信号を送信するタイミングと、第２鍵側通信モジュール２２２が間欠受信動作において信号待ちを行うタイミングとを一致させる。これにより、第２鍵側通信モジュール２２２は、間欠受信動作において第２錠側通信モジュール１２２からの起動信号を受信しやすくなる。
【００７４】
ここで、錠側タイマ１５及び鍵側タイマ２５は、水晶発振子等の精度などにより時間計測に誤差が生じる場合がある。したがって、同期を行ってからの時間に応じて、錠側タイマ１５が保持している時刻情報と、鍵側タイマ２５が保持している時刻情報とにずれが生じるおそれがある。
【００７５】
そこで、錠側制御部１１は、第１錠側通信モジュール１２１と第１鍵側通信モジュール２２１とが無線通信を行って、錠側タイマ１５と鍵側タイマ２５とが同期してからの経過時間に応じて、第２錠側通信モジュール１２２が送信する起動信号の信号長を調整する。具体的には、錠側制御部１１は、第２錠側通信モジュール１２２が送信する起動信号の信号長Ｗａを、係数Ｋａに経過時間Ｔａと計測精度Ｘａを乗算した値に設定する（Ｗａ＝Ｋａ×Ｔａ×Ｘａ）。係数Ｋａは、予め決められた定数である。経過時間Ｔａは、錠側タイマ１５と鍵側タイマ２５とが同期をとってから経過した時間である。計測精度Ｘａは、錠側タイマ１５における時間計測の精度〔％〕である。なお、起動信号の信号長Ｗａには、上限値が設定されており、信号長Ｗａは、上限値以下の範囲内で調整される。
【００７６】
つまり、錠側制御部１１は、第１錠側通信モジュール１２１と第１鍵側通信モジュール２２１とが無線通信を前回行ってからの経過時間（経過時間Ｔａ）が大きくなるにつれて、起動信号の信号長Ｗａを長くする。これにより、経過時間Ｔａが大きくなって、錠側タイマ１５及び鍵側タイマ２５が保持している時刻情報のずれが大きくなっても、第２鍵側通信モジュール２２２が起動信号を受信しやすくなる。
【００７７】
なお、鍵装置２０が複数台ある場合、錠側制御部１１は、複数台の鍵装置２０それぞれの経過時間Ｔａのうち最も大きい経過時間Ｔａを用いて上記計算により起動信号の信号長Ｗａを求める。つまり、複数台の鍵装置２０のうち、電気錠制御装置１０と無線通信を行ってからの経過時間Ｔａが最も大きい鍵装置２０に基づいて、起動信号の信号長Ｗａが上記計算により求められる。これにより、経過時間Ｔａが最も大きい鍵装置２０においても、第２鍵側通信モジュール２２２が起動信号を受信しやすくなる。
【００７８】
また、鍵側制御部２１は、第１錠側通信モジュール１２１と第１鍵側通信モジュール２２１とが無線通信を行い、錠側タイマ１５と鍵側タイマ２５とが同期してからの経過時間に応じて、第２鍵側通信モジュール２２２の間欠受信動作における受信間隔を調整する。具体的には、鍵側制御部２１は、第２鍵側通信モジュール２２２の間欠受信動作における受信間隔Ｗｂを、係数Ｋｂに経過時間Ｔｂと計測精度Ｘｂとを除算した値に設定する（Ｗｂ＝Ｋｂ／Ｔｂ／Ｘｂ）。係数Ｋｂは、予め決められた定数である。経過時間Ｔｂは、錠側タイマ１５と鍵側タイマ２５とが同期をとってから経過した時間である。計測精度Ｘｂは、鍵側タイマ２５における時間計測の精度〔％〕である。なお、間欠受信動作の受信間隔Ｗｂには、下限値が設定されており、受信間隔Ｗｂは、下限値以上の範囲内で調整される。
【００７９】
つまり、鍵側制御部２１は、第１錠側通信モジュール１２１と第１鍵側通信モジュール２２１とが無線通信を前回行ってからの経過時間（経過時間Ｔｂ）が大きくなるにつれて、第２鍵側通信モジュール２２２の間欠受信動作の受信間隔Ｗｂを短くする。これにより、経過時間Ｔｂが大きくなって、錠側タイマ１５及び鍵側タイマ２５が保持している時刻情報のずれが大きくなっても、第２鍵側通信モジュール２２２が起動信号を受信しやすくなる。
【００８０】
（５．２）その他の変形例
次に、本実施形態の電気錠制御システム１のその他の変形例を列挙する。
【００８１】
上述した例では、センサ部２３は、加速度センサで構成されていたが、これに限らない。例えば、センサ部２３は、ＧＰＳ（Global Positioning System）で構成されていてもよい。この場合、センサ部２３は、位置情報を取得することにより、所定状態として、鍵装置２０が電気錠制御装置１０に対して所定範囲内にある、という状態を検知することができる。つまり、鍵側制御部２１は、センサ部２３の検知結果に基づいて、鍵装置２０が電気錠制御装置１０に対して所定範囲内にある場合に、第２鍵側通信モジュール２２２に間欠受信動作を行わせることができる。これにより、鍵装置２０の消費電力を低減することができる。
【００８２】
また、センサ部２３は、磁気センサで構成されていてもよい。この場合、電気錠制御装置１０は、所定範囲内に磁界を発生させる磁界発生装置を備えている。センサ部２３は、磁界発生装置が発生させた磁界を検出することにより、所定状態として、鍵装置２０が電気錠制御装置１０に対して所定範囲内にある、という状態を検知することができる。
【００８３】
また、上述した例では、鍵側制御部２１は、センサ部２３が所定状態を検知すると、第２鍵側通信モジュール２２２に間欠受信動作を開始させていたが、これに限らない。鍵側制御部２１は、センサ部２３が所定状態を検知すると、第２鍵側通信モジュール２２２における間欠受信動作の受信間隔を短くしてもよい。したがって、例えば鍵装置２０が電気錠制御装置１０から離れた位置にある場合では、間欠受信動作における受信間隔が長くなるので、鍵装置２０の消費電力を低減することができる。また、鍵装置２０が電気錠制御装置１０に近い位置にある場合では、間欠受信動作における受信間隔が短くなるので、起動信号を受信しやすくなる。
【００８４】
また、電気錠制御装置１０において、錠側制御部１１は、周囲の電波環境に基づいて、複数チャネルから電波干渉がより小さいチャネルを選択するように構成されていてもよい。錠側制御部１１は、選択したチャネルで第２錠側通信モジュール１２２から起動信号を送信させ、選択したチャネルで第１錠側通信モジュール１２１からビーコン信号を送信させる。つまり、錠側制御部１１は、起動信号とビーコン信号とを同一のチャネル、すなわち同一の周波数帯で送信させる。この場合、鍵装置２０において、第２鍵側通信モジュール２２２は、間欠受信動作において複数チャネルの信号の受信待ち動作を行う。具体的には、第２鍵側通信モジュール２２２は、間欠受信動作の各受信待ち動作において、複数チャネルそれぞれに対応する周波数帯の信号の受信待ちを行う。そして、鍵側制御部２１は、第１鍵側通信モジュール２２１の連続受信動作において、第２鍵側通信モジュール２２２が間欠受信動作で受信した起動信号のチャネルで信号待ち動作を行わせる。これにより、電気錠制御装置１０と鍵装置２０との間において、電波干渉がより小さいチャネルを用いて起動信号及びビーコン信号の送受信が可能となる。
【００８５】
また、起動信号及びビーコン信号のチャネルは、予め決められていてもよい。電気錠制御装置１０において、錠側制御部１１は、周囲の電波環境に基づいて、複数チャネルから電波干渉がより小さいチャネルを選択する。そして、鍵装置２０を電気錠制御装置１０に登録する際に、錠側制御部１１が選択したチャネルの情報が電気錠制御装置１０から鍵装置２０に送信される。鍵装置２０では、錠側制御部１１が選択したチャネルで、第１鍵側通信モジュール２２１が連続受信動作を行い、第２鍵側通信モジュール２２２が間欠受信動作を行う。これにより、電気錠制御装置１０と鍵装置２０との間において、電波干渉がより小さいチャネルを用いて起動信号及びビーコン信号の送受信が可能となる。
【００８６】
また、電気錠制御装置１０において、錠側制御部１１は、錠側操作部１４への操作有無に関わらず所定周期（例えば３分周期）で起動信号及びビーコン信号を送信させるように構成されていてもよい。錠側制御部１１は、起動信号及びビーコン信号を周期的に送信させ、ビーコン信号に対する応答信号の有無に基づいて、通信範囲内に鍵装置２０が放置されているか否かを確認する。例えば、錠側制御部１１は、第１錠側通信モジュール１２１が、周期的に送信するビーコン信号に対する応答信号を複数回連続して受信した場合、通信範囲内に鍵装置２０が放置されていると判断する。錠側制御部１１は、通信範囲内に鍵装置２０が放置されていると判断した場合、錠側操作部１４が操作されても電気錠３を制御せず、開閉部材５の施解錠状態が変化しない。
【００８７】
上述した例では、電気錠制御装置１０は１つの筐体に集約されているが、複数の筐体に分散されていてもよい。また、錠側制御部１１が１つの回路で実現されているが、２つ以上の回路で実現されていてもよい。例えば、錠側制御部１１の機能が、２つ以上の回路に分散して設けられていてもよい。さらに、錠側制御部１１は、少なくとも一部の機能が、例えばクラウド（クラウドコンピューティング）によって実現されていてもよい。
【００８８】
また、鍵装置２０は、ユーザ６が所持する鞄などに収納又は取付可能なタグ装置であるが、例えばスマートフォン、タブレット端末等であってもよい。
【００８９】
上述の実施形態では、鍵装置２０は、開閉部材５の解錠操作及び施錠操作の両方を行うことができるが、他の構成であってもよい。例えば、鍵装置２０は、開閉部材５の解錠操作と施錠操作との一方だけを行う構成であってもよい。
【００９０】
上述の実施形態では、開閉部材５は、建物４の内側（宅内４１）と外側（宅外４２）とを隔てる扉（開き戸又は引戸）又は窓であるが、建物４の一部の区画の内側と外側とを隔てる扉であってもよい。例えば、建物４が複数の住戸を有する集合住宅、複数の店舗を有するテナントビル、及び複数の事務所を有するオフィスビルであれば、個々の区画（住戸、店舗、事務所）の内側と外側とを隔てる扉が開閉部材５となる。
【００９１】
上述の実施形態では、電気錠システム１００は戸建て住宅に適用されているが、例えば集合住宅の各住戸に適用されてもよい。また、電気錠システム１００は、集合住宅の共用部玄関に適用されてもよいし、事務所、店舗、工場などの非住宅用の建物４に適用されてもよい。
【００９２】
本開示における電気錠制御システム１の実行主体は、コンピュータシステムを含んでいる。コンピュータシステムは、ハードウェアとしてのプロセッサ及びメモリを有する。コンピュータシステムのメモリに記録されたプログラムをプロセッサが実行することによって、本開示における電気錠制御システム１の機能が実現される。プログラムは、コンピュータシステムのメモリに予め記録されていてもよいが、電気通信回線を通じて提供されてもよい。また、プログラムは、コンピュータシステムで読み取り可能なメモリカード、光学ディスク、ハードディスクドライブ等の非一時的な記録媒体に記録されて提供されてもよい。コンピュータシステムのプロセッサは、半導体集積回路（ＩＣ）又は大規模集積回路（ＬＳＩ）を含む１乃至複数の電子回路で構成される。複数の電子回路は、１つのチップに集約されていてもよいし、複数のチップに分散して設けられていてもよい。複数のチップは、１つの装置に集約されていてもよいし、複数の装置に分散して設けられていてもよい。
【００９３】
（６）まとめ
第１態様に係る電気錠制御システム（１）は、鍵装置（２０）と、電気錠制御装置（１０）と、を備える。鍵装置（２０）は、無線通信を行う鍵側通信部（２２）を有する。電気錠制御装置（１０）は、鍵側通信部（２２）との間で無線通信を行う錠側通信部（１２）を有し、建物（４）の開口部（４０）を開閉する開閉部材（５）を施錠又は解錠する電気錠（３）を制御する。鍵側通信部（２２）は、第１鍵側通信モジュール（２２１）と、第２鍵側通信モジュール（２２２）と、を有する。第１鍵側通信モジュール（２２１）は、錠側通信部（１２）からの第１信号（ビーコン信号）を連続的に待ち受ける連続受信動作を行う。第２鍵側通信モジュール（２２２）は、錠側通信部（１２）からの第２信号（起動信号）を間欠的に待ち受ける間欠受信動作を行う。第１鍵側通信モジュール（２２１）は、第２鍵側通信モジュール（２２２）が第２信号（起動信号）を受信すると、連続受信動作を開始する。
【００９４】
この態様によれば、第２鍵側通信モジュール（２２２）が第２信号（起動信号）を受信するまでは、第１鍵側通信モジュール（２２１）を、連続受信動作を停止したスリープ状態とすることができる。つまり、第１鍵側通信モジュール（２２１）が連続受信動作を行う時間を短くすることができる。間欠受信動作は、連続受信動作に比べて消費電力が小さいので、鍵装置（２０）の消費電力を低減することができる。
【００９５】
第２態様に係る電気錠制御システム（１）では、第１態様において、錠側通信部（１２）は、第１信号（ビーコン信号）を送信する前に、第２信号（起動信号）を送信する。
【００９６】
この態様によれば、鍵装置（２０）において、第２鍵側通信モジュール（２２２）が起動信号を受信し、第１鍵側通信モジュール（２２１）が連続受信動作を開始した後に、電気錠制御装置（１０）から第１信号（ビーコン信号）が送信される。これにより、第１鍵側通信モジュール（２２１）が第１信号（ビーコン信号）を受信しやすくなる。
【００９７】
第３態様に係る電気錠制御システム（１）では、第１又は第２態様において、錠側通信部（１２）は、第１錠側通信モジュール（１２１）と、第２錠側通信モジュール（１２２）と、を有する。第１錠側通信モジュール（１２１）は、第１信号（ビーコン信号）を送信する。第２錠側通信モジュール（１２２）は、第２信号（起動信号）を送信する。
【００９８】
この態様によれば、第１信号（ビーコン信号）と第２信号（起動信号）とで別々の通信規格を用いることができる。
【００９９】
第４態様に係る電気錠制御システム（１）では、第１〜第３態様のいずれかにおいて、第２信号（起動信号）の信号長は、第２鍵側通信モジュール（２２２）の間欠受信動作における受信間隔よりも長い。
【０１００】
この態様によれば、第２鍵側通信モジュール（２２２）が、間欠受信動作において第２信号（起動信号）を受信しやすくなる。
【０１０１】
第５態様に係る電気錠制御システム（１）では、第１〜第４態様のいずれかにおいて、鍵装置（２０）は、時間を計測する鍵側タイマ（２５）を更に有し、電気錠制御装置（１０）は、時間を計測する錠側タイマ（１５）を更に有する。鍵側タイマ（２５）と錠側タイマ（１５）とは、鍵側通信部（２２）と錠側通信部（１２）とが無線通信を行うと同期する。第２鍵側通信モジュール（２２２）は、鍵側タイマ（２５）の計測結果に基づいたタイミングで間欠受信動作を行う。錠側通信部（１２）は、錠側タイマ（１５）の計測結果に基づいたタイミングで第２信号（起動信号）を送信する。
【０１０２】
この態様によれば、第２錠側通信モジュール（１２２）が第２信号（起動信号）を送信するタイミングと、第２鍵側通信モジュール（２２２）が間欠受信動作において信号待ちを行うタイミングとを一致させることができる。これにより、第２鍵側通信モジュール（２２２）は、間欠受信動作において第２錠側通信モジュール（１２２）からの第２信号（起動信号）を受信しやすくなる。
【０１０３】
第６態様に係る電気錠制御システム（１）では、第５態様において、錠側通信部（１２）は、鍵側タイマ（２５）と錠側タイマ（１５）とが同期をとってからの経過時間と、錠側タイマ（１５）の計測精度と、に基づいた信号長の第２信号（起動信号）を送信する。
【０１０４】
この態様によれば、錠側タイマ（１５）及び鍵側タイマ（２５）の時間情報のずれが大きくなっても、第２鍵側通信モジュール（２２２）が第２信号（起動信号）を受信しやすくなる。
【０１０５】
第７態様に係る電気錠制御システム（１）では、第５又は第６態様において、第２鍵側通信モジュール（２２２）は、経過時間と、鍵側タイマ（２５）の計測精度と、に基づいた受信間隔で間欠受信動作を行う。経過時間は、鍵側タイマ（２５）と錠側タイマ（１５）とが同期をとってからの時間である。
【０１０６】
この態様によれば、錠側タイマ（１５）及び鍵側タイマ（２５）の時間情報のずれが大きくなっても、第２鍵側通信モジュール（２２２）が第２信号（起動信号）を受信しやすくなる。
【０１０７】
第８態様に係る電気錠制御システム（１）では、第１〜第７態様のいずれかにおいて、鍵装置（２０）は、所定状態を検知するセンサ部（２３）を備える。第２鍵側通信モジュール（２２２）は、センサ部（２３）が所定状態を検知すると間欠受信動作を開始する。
【０１０８】
この態様によれば、第２鍵側通信モジュール（２２２）が間欠受信動作を行う時間を短くすることができ、鍵装置（２０）の消費電力を低減することができる。
【０１０９】
第９態様に係る電気錠制御システム（１）では、第１〜第７態様のいずれかにおいて、鍵装置（２０）は、所定状態を検知するセンサ部（２３）を備える。第２鍵側通信モジュール（２２２）は、センサ部（２３）が所定状態を検知すると、センサ部（２３）が所定状態を検知する前よりも間欠受信動作における受信間隔を短くする。
【０１１０】
この態様によれば、第２鍵側通信モジュール（２２２）が間欠受信動作における受信間隔を調整することができる。これにより、鍵装置（２０）の消費電力を低減し、第２鍵側通信モジュール（２２２）が第２信号（起動信号）を受信しやすくなる。
【０１１１】
第１０態様に係る電気錠制御システム（１）では、第１〜第９態様のいずれかにおいて、第１鍵側通信モジュール（２２１）は、第２鍵側通信モジュール（２２２）が間欠受信動作において第２信号（起動信号）を複数回連続して受信すると連続受信動作を開始する。
【０１１２】
この態様によれば、錠側通信部（１２）と鍵側通信部（２２）との間の無線通信が安定している場合に、第１鍵側通信モジュール（２２１）の連続受信動作を開始させることができる。これにより、第１鍵側通信モジュール（２２１）が第１信号（ビーコン信号）を受信しやすくなる。また、第２信号（起動信号）とは異なる無線信号を第２鍵側通信モジュール（２２２）が誤受信した場合であっても、第１鍵側通信モジュール（２２１）が連続受信動作を開始することが抑制される。これにより、鍵装置（２０）の消費電力を低減することができる。
【０１１３】
第１１態様に係る電気錠制御システム（１）では、第１０態様において、第２鍵側通信モジュール（２２２）は、間欠受信動作において第２信号（起動信号）を受信すると、受信間隔を短くする。
【０１１４】
この態様によれば、第２鍵側通信モジュール（２２２）が第２信号（起動信号）を受信してから第１鍵側通信モジュール（２２１）が連続受信動作を開始するまでの時間を短縮することができる。
【０１１５】
第１２態様に係る電気錠制御システム（１）では、第１〜第１１態様のいずれかにおいて、第１鍵側通信モジュール（２２１）は、連続受信動作を開始してから、所定時間が経過する又は第１信号（ビーコン信号）を受信するまで連続受信動作を行う。
【０１１６】
この態様によれば、第１鍵側通信モジュール（２２１）が連続受信動作を行う時間を短くすることができ、鍵装置（２０）の消費電力を低減することができる。
【０１１７】
第１３態様に係る鍵装置（２０）は、第１〜第１２態様のいずれかの電気錠制御システム（１）に用いられる。
【０１１８】
この態様によれば、鍵装置（２０）において第１鍵側通信モジュール（２２１）が連続受信動作を行う時間を短くすることができ、鍵装置（２０）の消費電力を低減することができる。
【０１１９】
第１４態様に係る電気錠制御装置（１０）は、第１〜第１２態様のいずれかの電気錠制御システム（１）に用いられる。
【０１２０】
この態様によれば、鍵装置（２０）において第１鍵側通信モジュール（２２１）が連続受信動作を行う時間を短くすることができ、鍵装置（２０）の消費電力を低減することができる。
【０１２１】
第１５態様に係る電気錠システム（１００）は、第１〜第１２態様のいずれかの電気錠制御システム（１）と、電気錠制御装置（１０）によって制御される電気錠（３）と、を備える。
【０１２２】
この態様によれば、鍵装置（２０）において第１鍵側通信モジュール（２２１）が連続受信動作を行う時間を短くすることができ、鍵装置（２０）の消費電力を低減することができる。
【０１２３】
第２〜第１２の態様に係る構成については、電気錠制御システム（１）の必須の構成ではなく、適宜省略可能である。
【符号の説明】
【０１２４】
１  電気錠制御システム
１０  電気錠制御装置
１２  錠側通信部
１２１  第１錠側通信モジュール
１２２  第２錠側通信モジュール
１５  錠側タイマ
２０  鍵装置
２２  鍵側通信部
２２１  第１鍵側通信モジュール
２２２  第２鍵側通信モジュール
２３  センサ部
２５  鍵側タイマ
３  電気錠
４  建物
４０  開口部
５  開閉部材
１００  電気錠システム
【図１】
2019039152.tif 000003
【図２】
2019039152.tif 000004
【図３】
2019039152.tif 000005
【図４】
2019039152.tif 000006